(57)【特許請求の範囲】
【請求項１】
互いに対向する一対の既設縦枠の間から室外側に突出させて設けられる新設縦枠および新設方立と、
前記新設方立の室外側に障子を案内するレールを備えた新設下枠および新設上枠と、
を有し、
前記新設下枠および前記新設上枠は、前記レールに沿う方向において前記新設方立の両側に亘って設けられていることを特徴とする改装用建具。
【請求項２】
請求項１に記載の改装用建具であって、
前記新設縦枠は、前記新設方立より室外側に突出し、前記レールに沿う方向において、前記障子の戸先部と対向することを特徴とする改装用建具。
【請求項３】
請求項１または請求項２に記載の改装用建具であって、
前記新設上枠は、
前記新設縦枠と前記新設方立と間に掛け渡される新設内上枠と、
前記新設内上枠の室外側に設けられる新設外上枠と、
を有し、
前記新設外上枠は、前記新設方立に対して前記新設縦枠と反対側に突出させて前記新設内上枠に固定されたブラケットを介して前記新設内上枠に固定されていることを特徴とする改装用建具。
【請求項４】
請求項３に記載の改装用建具であって、
前記新設縦枠を覆う縦額縁と、
前記縦額縁の上端部を覆うとともに前記新設外上枠を当該新設外上枠の全長に亘って覆う上額縁と、
を有することを特徴とする改装用建具。
【請求項５】
互いに対向する一対の既設縦枠の間から室外側に突出させて設けられる一対の新設方立と、
前記一対の新設方立の室外側に障子を案内するレールを備えた新設下枠および新設上枠と、
を有し、
前記新設下枠および前記新設上枠は、前記レールに沿う方向において前記一対の新設方立が互いに対向する方向と反対側に各々突出させて設けられていることを特徴とする改装用建具。
【請求項６】
互いに対向する一対の既設縦枠の間から室外側に突出させて設けられた新設縦枠および新設方立と、
前記新設縦枠および前記新設方立の室外側に障子を案内するレールを備えた新設下枠および新設上枠と、
前記新設縦枠を覆う縦額縁と、
前記縦額縁の上端を覆うとともに前記新設上枠を当該新設外上枠の全長に亘って覆う上額縁と、
を備え、
前記新設下枠および前記新設上枠は、前記レールに沿う方向において前記新設方立の両側に亘って設けられており、
前記新設上枠は、前記新設縦枠と前記新設方立と間に掛け渡される新設内上枠と、前記新設内上枠の室外側に設けられる新設外上枠と、を有し、
前記新設外上枠は、前記新設方立に対して前記新設縦枠と反対側に突出させて前記新設内上枠に固定されたブラケットを介して前記新設内上枠に固定されていることを特徴とする改装用建具構造。
【発明の詳細な説明】
【技術分野】
【０００１】
本発明は、既設枠の室外側に設ける改装用建具及び改装用建具構造に関する。
【背景技術】
【０００２】
従来、既設玄関引戸の既設枠に新しい玄関引き戸の枠を取り付けて玄関引戸をリフォームする建具枠は知られている（例えば、特許文献１参照）。この建具枠は、新設下枠と、左竪枠と、右竪枠と、上枠とを備えており、新設下枠は、既設下枠上、すなわち、既設枠の内周側に固定されている。
また、左竪枠、右竪枠および上枠も既設竪枠、既設上枠及び躯体に既設枠の内周側から固定されている。
【先行技術文献】
【特許文献】
【０００３】
【特許文献１】特開２０１３−１３９７００号公報
【発明の概要】
【発明が解決しようとする課題】
【０００４】
上記のような建具枠は、既設枠に取り付けられた左竪枠、右竪枠いずれも既設枠よりも内周側に位置しているので、新設下枠、左竪枠、右竪枠および上枠が接合されて形成される開口が既設枠により形成される開口より小さくなり、新設された建具枠に取り付けられた引戸障子を開いたときに形成される開口も既設の建具より小さくなってしまうという課題がある。
【０００５】
本発明は、かかる課題に鑑みてなされたものであり、その目的とするところは、既設の建具より開口を大きく開くことが可能な改装用建具及び改装用建具構造を提供することにある。
【課題を解決するための手段】
【０００６】
かかる目的を達成するために本発明の改装用建具は、互いに対向する一対の既設縦枠の間から室外側に突出させて設けられる新設縦枠および新設方立と、前記新設方立の室外側に障子を案内するレールを備えた新設下枠および新設上枠と、を有し、前記新設下枠および前記新設上枠は、前記レールに沿う方向において前記新設方立の両側に亘って設けられていることを特徴とする改装用建具である。
【０００７】
このような改装用建具によれば、互いに対向する一対の既設縦枠の間に設けられた新設方立の室外側に設けられる新設下枠および新設上枠は、新設下枠および新設上枠が各々有するレールに沿う方向において新設方立の両側に亘って設けられているので、新設下枠および新設上枠のレールに沿って案内される障子を新設方立より新設縦枠と反対側に移動させることが可能である。このため、互いに対向する既設縦枠間に引戸障子が設けられている場合、或いは、袖付きの扉が設けられている場合より大きく開くことが可能である。
【０００８】
かかる改装用建具であって、前記新設縦枠は、前記新設方立より室外側に突出し、前記レールに沿う方向において、前記障子の戸先部と対向することが望ましい。
このような改装用建具によれば、新設方立より室外側に設けられている新設下枠および新設上枠が備えるレールに沿って案内された障子の戸先部を、新設方立より室外側に突出している新設縦枠に当接させることが可能である。このため、新設縦枠を戸当たりとした片引きタイプの改装用建具を提供することが可能である。
【０００９】
かかる改装用建具であって、前記新設上枠は、前記新設縦枠と前記新設方立と間に掛け渡される新設内上枠と、前記新設内上枠の室外側に設けられる新設外上枠と、を有し、前記新設外上枠は、前記新設方立に対して前記新設縦枠と反対側に突出させて前記新設内上枠に固定されたブラケットを介して前記新設内上枠に固定されていることが望ましい。
【００１０】
このような改装用建具によれば、新設内上枠の室外側に設けられる新設外上枠は、新設方立より新設縦枠と反対側に突出して、所謂片持ちの状態となる。このとき、新設外上枠は新設内上枠に、新設方立に対して新設縦枠と反対側に突出させて固定されたブラケットを介して新設内上枠に接合されているので、新設外上枠を新設方立より外側で支持することが可能である。このため、新設外上枠がより強固に固定され、障子はより安定した状態で支持されるので、障子をより滑らかに移動することが可能な改装用建具を提供することが可能である。
【００１１】
かかる改装用建具であって、前記新設縦枠を覆う縦額縁と、前記縦額縁の上端部を覆うとともに前記新設外上枠を当該新設外上枠の全長に亘って覆う上額縁と、を有することが望ましい。
このような改装用建具によれば、新設外上枠は、新設縦枠を覆う縦額縁の上端部とともに単一の上額縁により覆われるので意匠性に優れた改装用建具を提供することが可能である。
【００１２】
また、互いに対向する一対の既設縦枠の間から室外側に突出させて設けられる一対の新設方立と、前記一対の新設方立の室外側に障子を案内するレールを備えた新設下枠および新設上枠と、を有し、前記新設下枠および前記新設上枠は、前記レールに沿う方向において前記一対の新設方立が互いに対向する方向と反対側に各々突出させて設けられていることを特徴とする改装用建具である。
【００１３】
このような改装用建具によれば、一対の既設縦枠の間から室外側に突出させて設けられた一対の新設方立の室外側に設けられる新設下枠および前記新設上枠は、当該新設下枠および前記新設上枠が有するレールに沿う方向において一対の新設方立が互いに対向する方向と反対側に各々突出させて設けられているので、新設下枠のレールに沿って案内される障子を一対の新設方立が対向する方向と反対側に各々移動させる所謂引分けタイプの改装用建具を提供することが可能である。このため、互いに対向する既設縦枠間に引戸障子が設けられている場合、或いは、袖付きの扉が設けられている場合より大きく開くことが可能である。
【００１４】
また、互いに対向する一対の既設縦枠の間から室外側に突出させて設けられた新設縦枠および新設方立と、前記新設縦枠および前記新設方立の室外側に障子を案内するレールを備えた新設下枠および新設上枠と、前記新設縦枠を覆う縦額縁と、前記縦額縁の上端を覆うとともに前記新設上枠を当該新設外上枠の全長に亘って覆う上額縁と、を備え、前記新設下枠および前記新設上枠は、前記レールに沿う方向において前記新設方立の両側に亘って設けられており、前記新設上枠は、前記新設縦枠と前記新設方立と間に掛け渡される新設内上枠と、前記新設内上枠の室外側に設けられる新設外上枠と、を有し、前記新設外上枠は、前記新設方立に対して前記新設縦枠と反対側に突出させて前記新設内上枠に固定されたブラケットを介して前記新設内上枠に固定されていることを特徴とする改装用建具構造である。
【００１５】
このような改装用建具構造によれば、互いに対向する既設縦枠間に引戸障子が設けられている場合、或いは、袖付きの扉が設けられている場合より大きく開き、障子が滑らかに移動可能で、意匠性に優れた改装用建具構造を実現することが可能である。
【発明の効果】
【００１６】
本発明によれば、既設の建具より大きく開くことが可能な改装用建具及び改装用建具構造を提供することが可能である。
【図面の簡単な説明】
【００１７】
【図１】本実施形態に係る改装用建具の外観図である。
【図２】本実施形態に係る改装用建具の横断面図である。
【図３】図２におけるＡ−Ａ断面図である。
【図４】図３におけるＦ部の拡大図である。
【図５】図２におけるＢＣＤＥ断面図である。
【図６】図５におけるＧ部の拡大図である。
【図７】ブラケットおよびブラケットの取付部を示す斜視図である。
【図８】本実施形態に係る改装用建具の構成を示す斜視図である。
【図９】額縁を取り付ける前までの施工方法を示す図である。
【図１０】額縁の施工方法を示す図である。
【図１１】改装前後における開口幅の相違を示す図である。
【図１２】改装用建具の変形例を示す横断面図である。
【発明を実施するための形態】
【００１８】
以下、本発明の一実施形態に係る改装用建具について図面を参照して説明する。
本実施形態の改装用建具１及び改装用建具構造は、例えば、片袖タイプの玄関用建具の既設枠２のみを残した開口部に、図１〜図６に示すように建物３の外壁３ａより室外側に張り出して設けられた新設枠１０と、新設枠１０に装着される２枚の引戸障子４とを有し、引戸障子４が既設枠２に囲まれる領域の室外側の位置から外壁３ａと対向する位置まで移動可能な引込みタイプの改装用建具１を例に挙げて説明する。
【００１９】
以下の説明においては、建物３等に取り付けられた状態の改装用建具１を室外側から見たときに、上下となる方向を上下方向、左右となり下枠が有するレールに沿う方向を左右方向、室内外方向である奥行き方向を見込み方向として示す。改装用建具１の各部位であっても、また、改装用建具１を構成する各部材については単体の状態であっても、建物３等に取り付けられた状態にて上下方向、左右方向、見込み方向となる方向にて方向を特定して説明する。
【００２０】
改装用建具１は、２枚の引戸障子４と、建物３等に外壁３ａより張り出して設けられる新設枠１０と、を備えている。
新設枠１０は、左右に設けられている既設縦枠２ａの内側に固定金具９（図８）を介して固定される新設方立１１及び新設縦枠１２と、既設下枠２ｂに上方から固定される新設下枠１３と、既設上枠２ｃの下方から固定金具９を介して固定される新設上枠１４と、新設方立１１と外壁３ａとの間を覆う方立額縁１５と、新設縦枠１２の室外に臨む面および新設縦枠１２と外壁３ａとの間を覆う縦額縁１６と、新設上枠１４の室外に臨む面および新設上枠１４と外壁３ａとの間を覆う上額縁１７と、新設上枠１４の室外側の部位をなす新設外上枠１４２を固定するためのブラケット１８と、を有している。以下の説明においては、既設枠２に囲まれる内側および矩形状に接合された新設方立１１、新設縦枠１２、新設下枠１３、新設上枠１４に囲まれる領域の内側を、単に内側または内周側とし、反対側を単に外側または外周側として説明する。
【００２１】
新設方立１１、新設縦枠１２および新設上枠１４を固定する固定金具９は、いずれも共通の部材であり、新設方立１１、新設縦枠１２および新設上枠１４が有する外周側の面と対面させてビス止めされる新設枠側固定部９ａと、既設縦枠２ａおよび既設上枠２ｃが有する内周側の面との間に介在される飼い木６と対面させてビス止めされる既設枠側固定部９ｂと、新設枠側固定部９ａの室内側の端と既設枠側固定部９ｂの室外側の端とを、新設枠側固定部９ａおよび既設枠側固定部９ｂとほぼ直交するように連結する連結部９ｃとを有し、例えば、鋼板を段曲げした形状をなしている。
【００２２】
本改装用建具１では、２枚の引戸障子４が新設方立１１より左側まで移動可能に形成されて、引戸障子４の一部が外壁３ａと対向する位置まで引き込まれるように構成されており、新設縦枠１２は引戸障子４を閉じた際に戸先部４ａと係合する戸当たりをなしている。このため、新設方立１１は、新設縦枠１２より既設縦枠２ａから室外側に突出する突出量が小さく、新設方立１１の室外側を２枚の引戸障子４が、新設下枠１３および新設上枠１４のレール１３３、１４２ｊに案内されて左右方向に移動するように構成されている。そして、新設縦枠１２にはラッチ機構や施錠機構などの機能部材が設けられており、新設方立１１の室外側の端部には、引戸障子４を閉じた際に、室内側を移動する引戸障子４の戸尻部４ｂと係合する煙返し１１ａと、戸尻部４ｂと接触するシール部材１１ｂとが設けられている。
【００２３】
新設方立１１及び新設縦枠１２はいずれも、既設縦枠２ａよりも室外側に突出して設けられており、室内側の端部に設けられた角部に、新設枠側固定部９ａと連結部９ｃがなす角部が内周側から重ねられて固定金具９がビス止めされている。固定金具９がビス止めされた新設方立１１及び新設縦枠１２は、連結部９ｃの室内側の面が、既設扉３１（図１１）の周端部に当接すべく既設縦枠２ａに設けられていたシール材が取り外された嵌合部２ｄの室外側の部位に当接されて位置決めされている。
【００２４】
また、既設縦枠２ａの内周側の面と、新設方立１１及び新設縦枠１２に各々設けられた固定金具９の新設枠側固定部９ａおよび既設枠側固定部９ｂの外周側の面との間に、固定金具９と既設縦枠２ａの嵌合部２ｄとが干渉しないように飼い木６が設けられている。新設方立１１及び新設縦枠１２にビス止めされた固定金具９は、既設枠側固定部９ｂが飼い木６、既設縦枠２ａ、既設額縁７を介して躯体５にビス止めされている。
【００２５】
方立額縁１５は、既設縦枠２ａに固定された新設方立１１と外壁３ａとの間を覆う部材であり、新設方立１１の全長に亘って設けられる。方立額縁１５は、外壁３ａに沿う方向に配置される本体部１５ａと、本体部１５ａの新設方立１１側の縁から室外側に延設され、新設方立１１に設けられた突起１１ｃと内周側に窪む段部１１ｄとにより形成される凹部１１ｅに当接される方立当接部１５ｂと、本体部１５ａの方立当接部１５ｂと反対側の縁から外壁３ａ側に延設された左延設部１５ｃとを有している。方立額縁１５は、左延設部１５ｃに見込み方向の長さを変更可能に厚みが薄く形成され長手方向に沿った線状薄肉部が複数設けられており、現場のサイズに合わせて、いずれかの線状薄肉部にて切断された後、方立当接部１５ｂが新設方立１１の凹部１１ｅに当接されてビス止めされる。
【００２６】
縦額縁１６は、既設縦枠２ａに固定された新設縦枠１２の外周側部を覆う縦枠側方カバー部材１６１と、新設縦枠１２と外壁３ａとの間を室外側から覆う縦枠室外カバー部材１６２とを有している。
【００２７】
縦枠側方カバー部材１６１は、新設縦枠１２の外周面とほぼ平行に配置されて右側面を覆う側面カバー部１６１ａと、側面カバー部１６１ａの室外側の先端に設けられ縦枠室外カバー部材１６２と係合される係合部１６１ｂと、側面カバー部１６１ａの室外側の先端側であって係合部１６１ｂより室内側に設けられ新設縦枠１２側に延出された室外延出部１６１ｃと、側面カバー部１６１ａにおいて新設縦枠１２の見込み方向における中央と対向する位置に新設縦枠１２側に延出された中央延出部１６１ｄと、を有している。
【００２８】
室外延出部１６１ｃの先端には、縦枠室外カバー部材１６２に設けられたビス止め部１６２ａと重ねられて単一のビスにて縦枠室外カバー部材１６２とともに新設縦枠１２にビス止めされるビス固定部１６１ｅが設けられている。また、中央延出部１６１ｄの先端には、新設縦枠１２の外周側において見込み方向における中央近傍に設けられ、外周側に突出されてその先端が室外側に延出された係合部１２ａと係合する、中央係合片１６１ｆが設けられている。
【００２９】
縦額縁１６の室内側の部位にも、方立額縁１５と同様に、側面カバー部１６１ａに見込み方向の長さを変更可能に厚みが薄く形成され長手方向に沿った線状薄肉部が複数設けられており、いずれかの線状薄肉部にて切断されることにより現場のサイズに合わせることができるよう構成されている。
【００３０】
縦枠室外カバー部材１６２は、新設縦枠１２と縦額縁１６との室外側にて新設縦枠１２と縦額縁１６とに亘って設けられる前面カバー部１６２ｂと、前面カバー部１６２ｂの室内側に延出されて新設縦枠１２の外周側に当接され縦枠側方カバー部材１６１のビス固定部１６１ｅとともに新設縦枠１２にビス止めされるビス止め部１６２ａと、縦枠室外カバー部材１６２の外周側に設けられ縦枠側方カバー部材１６１の係合部１６１ｂと係合する外周被係合部１６２ｃと、縦枠室外カバー部材１６２の内周側に設けられ新設縦枠１２の内周側に設けられた凹部１２ｂと係合する内周被係合部１６２ｄとを有している。
【００３１】
前面カバー部１６２ａのビス止め部１６２ａと外周被係合部１６２ｃとの間には、新設縦枠１２が建物の入隅をなす外壁面の近傍に設けられた際に、新設縦枠１２と入隅を形成する外壁面までの間を覆うべく、現場のサイズに合わせられるように、厚みが薄く形成され長手方向に沿った線状薄肉部が複数設けられている。
【００３２】
新設下枠１３と新設上枠１４とは、新設方立１１と新設縦枠１２とが対向する部位間に設けられる新設内下枠１３１および新設内上枠１４１と、新設方立１１とより室外側に設けられ新設内下枠１３１および新設内上枠１４１と接合される新設外下枠１３２および新設外上枠１４２とを有している。
【００３３】
新設内下枠１３１は、既設下枠２ｂと、既設下枠２ｂの室外側に上面が既設下枠２ｂと平坦に繋がるように形成された下地８の上に載置されて既設下枠２ｂに上方からビス止めされている。新設外下枠１３２は、室内側の部位が新設内下枠１３１の室外側の部位の下側に入り込んで新設内下枠１３１と係合されると共にビス止めされており、更に、室外側にて下地にビス止めされている。新設外下枠１３２の新設内下枠１３１より室外側に、２枚の引戸障子４を左右方向に案内するレール１３３が設けられている。すなわち、左右方向がレール１３３に沿う方向に相当する。
【００３４】
新設内上枠１４１は、既設上枠２ｃよりも室外側に突出して設けられている。新設内上枠１４１は、断面がほぼ矩形状をなして上下方向におけるほぼ中央に横補強リブ１４１ａが設けられ、横補強リブ１４１ａの上下にそれぞれ新設内上枠１４１の長手方向に沿う中空部が設けられている。新設内上枠１４１の室内側における上端の角部には、新設枠側固定部９ａと連結部９ｃがなす角部が上方から重ねられて固定金具９がビス止めされている。このとき、新設内上枠１４１の上面室内側には、新設枠側固定部９ａが重ねられており、その室外側に下方に窪ませた溝部１４１ｂが設けられている。この溝部１４１ｂは新設内上枠１４１の長手方向に沿って設けられている。
【００３５】
固定金具９がビス止めされた新設内上枠１４１は、連結部９ｃの室内側の面が、既設上枠２ｃに内周側に突出させて設けられ、取り外された既設扉３１の周端部に当接していたシール材の嵌合部２ｄの室外側の部位に当接されて位置決めされている。
【００３６】
また、既設上枠２ｃの内周側の面と、新設上枠１４に設けられた固定金具９の既設枠側固定部９ｂの外周側の面との間に、固定金具９と既設上枠２ｃの嵌合部２ｄとが干渉しないように飼い木６が設けられている。新設上枠１４にビス止めされた固定金具９は、既設枠側固定部９ｂが飼い木６、既設上枠２ｃ、既設額縁７を介して躯体５にビスにて固定されている。
【００３７】
新設内上枠１４１のほぼ鉛直をなす室外側の壁部１４１ｃは、上部側に新設外上枠１４２の室内側に設けられた上延出部１４２ａがシール材２１を介して押圧され、上下方向の中央近傍と下部側には室外側に突出されてその先端にてほぼ鉛直な面が形成され、新設外上枠１４２の室内側の壁部１４２ｂが当接される当接片１４１ｄが設けられている。下部側の当接片１４１ｄの下端からは室外側に向かってほぼ水平に延出され、新設外上枠１４２の室内側の部位がシール材２１を介して載置される外上枠載置部１４１ｅが設けられている。
【００３８】
新設内上枠１４１の室外側の壁部１４１ｃの室内側には、上下方向において互いに対向する溝１４１ｆを室外側の壁部１４１ｃとともに形成する一対の溝形成部１４１ｇが設けられており、新設外上枠１４２を固定するための後述するブラケット１８が上下の溝１４１ｆに沿うように挿入されて上下方向および見込み方向の移動が規制されるように構成されている。
【００３９】
新設内上枠１４１の室外側に取り付けられる新設外上枠１４２は、断面がほぼ矩形状をなし見込み方向におけるほぼ中央に縦補強リブ１４２ｃが設けられ、縦補強リブ１４２ｃの室内外側にそれぞれ新設外上枠１４２の長手方向に沿う中空部が設けられている。新設外上枠１４２の室内側における上端の角部は、中空部を形成する上面部１４２ｄが室内側に延出されており、延出された部位の縁には、下方に垂設された垂設片１４２ｅと、上方に延出された上延出片１４２ａとが設けられている。また、上延出片１４２ａの上端には、室外側に向かって低くなるように傾斜して延出された傾斜延出片１４２ｆが設けられている。
【００４０】
新設外上枠１４２の室内側には、室内側の中空部における室内側の壁部１４２ｂが、ほぼ鉛直をなすように設けられており、室内側の壁部１４２ｂの下端には、水平な面をなし室内側の壁部１４２ｂと共に中空部の角部をなす底部１４２ｇと繋がっている。
【００４１】
新設外上枠１４２のほぼ鉛直をなす室外側の壁部１４２ｈには、ほぼ水平をなして室外側に突出された外突出片１４２ｉが設けられている。また、室外側の壁部１４２ｈと底部１４２ｇとの間には、見込み方向に適宜間隔を隔てて引戸障子４を案内するレール１４２ｊが設けられている。
【００４２】
上額縁１７は、新設上枠１４の外壁３ａより室外側に突出した部位を覆う押出成形部材でなる上額縁本体１７１と、上額縁本体１７１の両端の小口に取り付けられる端部プレート１７２と、上額縁本体１７１と外壁３ａとの間を塞ぐ上閉塞プレート１７３とを有している。
【００４３】
上額縁本体１７１は、断面形状がほぼ台形状をなし長手方向に沿った中空部を有する上カバー部１７１ａと、上カバー部１７１ａの天面部１７１ｂから室内側に延出された上延出部１７１ｃと、上カバー部１７１ａの室外側の先端から垂設された室外垂設部１７１ｄとを有している。
【００４４】
上カバー部１７１ａは、断面形状の台形状における底辺に相当する底面部１７１ｅが、新設外上枠１４２の上方に位置し、底面部１７１ｅの室外側の部位から垂設された突起部１７１ｆと、底面部１７１ｅの室内側の端より室内側に延出された位置から垂設された脚部１７１ｇとが設けられている。突起部１７１ｆと脚部１７１ｇとは、上額縁１７が取り付けられたときに新設外上枠１４２の上面部１４２ｄ上に載置されるように構成されている。
【００４５】
上カバー部１７１ａには、底面部１７１ｅの上方に間隔を隔てて当該底面部１７１ｅと平行に設けられる天面部１７１ｂが室内側に設けられており、天面部１７１ｂから室外側に向かって高さが低くなる傾斜天部１７１ｈが設けられている。天面部１７１ｂは、室内側の上延出部１７１ｃと平坦に繋がっており、天面部１７１ｂと上延出部１７１ｃの境界部には、垂設されて中空部の室内側の壁を形成する垂設壁部１７１ｉが設けられている。垂設壁部１７１ｉの下端と、底面部１７１ｅの室内側の端との間には、室外側に窪む上カバー凹部１７１ｊが設けられている。
【００４６】
上カバー凹部１７１ｊは、新設内上枠１４１の室外側における上側の角部がシール材２１を介して押圧され、室外側に窪む段部１７１ｋと、室外側に窪む段部１７１ｋから更に室外側に窪み、新設内上枠１４１に取り付けられた新設外上枠１４２の傾斜延出片１４２ｆが挿入される挿入凹部１７１ｌが設けられている。挿入凹部１７１ｌを形成し段部１７１ｋから繋がる凹部上面部１７１ｍは、傾斜延出片１４２ｆと同様の傾斜を有しており、凹部上面部１７１ｍの先端に垂設された凹部垂設部１７１ｎの下端が底面部１７１ｅと繋がっている。
【００４７】
底面部１７１ｅの室内側の端に垂設された脚部１７１ｇは、凹部垂設部１７１ｎより室内側に設けられており、凹部垂設部１７１ｎと脚部１７１ｇの上端部との間は僅かに下方に窪む窪み１７１ｑが設けられている。室外垂設部１７１ｄの室内側には、ほぼ水平に延出された上カバー延出片１７１ｏが設けられ、底面部１７１ｅの見込み方向におけるほぼ中央には、下面側に上額縁１７を新設外上枠１４に固定するためにビスが螺合されるビス螺合部１７１ｐが設けられている。
【００４８】
上額縁１７は、上額縁本体１７１に端部プレート１７２が取り付けられて、突起部１７１ｆと脚部１７１ｇとが新設外上枠１４２の上面部１４２ｄ上に載置されるとともに、段部１７１ｋが新設内上枠１４１の室外側の上側の角部に当接される際に、新設外上枠１４２の傾斜延出片１４２ｆが挿入凹部１７１ｌに挿入される。このとき、凹部上面部１７１ｍが傾斜延出片１４２ｆに案内され、傾斜延出片１４２ｆが凹部上面部１７１ｍと脚部１７１ｇの上端との間に配置される。また、このとき、上カバー延出片１７１ｏが新設外上枠１４２の外突出片１４２ｉの下方に配置される。このため、新設外上枠１４２上に上額縁１７を位置決めして、下方から新設外上枠１４２と上額縁１７とをビス止めするときに、ビスにより上額縁１７が持ち上げられるが、上額縁１７は、傾斜延出片１４２ｆと外突出片１４２ｊとにより上昇が規制されるため、上額縁１７を上方から押さえなくとも新設外上枠１４２と上額縁１７とを接合できるように構成されている。
【００４９】
上閉塞プレート１７３は、取り付けられた上額縁本体１７１と外壁３ａとの間を塞ぐべく、上額縁本体１７１と十分に重なる位置から外壁３ａに当接される位置に配置して上方から上額縁本体１７１にビス止めされる。上延出部１７１ｃおよび上閉塞プレート１７３には、現場のサイズに合わせて、見込み方向の長さを変更可能に厚みが薄く形成され長手方向に沿った線状薄肉部が複数設けられている。このため、上額縁本体１７１だけで、外壁３ａとの間を閉塞することができれば、上閉塞プレート１７３を用いることなく、上延出部１７１ｃを線状薄肉部にて適宜切断し、上閉塞プレート１７３が必要な場合には、上閉塞プレート１７３を線状薄肉部にて適宜切断して上額縁本体１７１に固定すれば上額縁本体１７１と外壁３ａとの間を容易に塞ぐことができる。
【００５０】
新設外上枠１４２を固定するためのブラケット１８は、図７に示すように、新設内上枠１４１において上下に配置された一対の溝形成部１４１ｇに新設内上枠１４１の左の小口から挿入される内上枠挿入部１８ａと、内上枠挿入部１８ａが挿入されて新設内上枠１４１の小口から側方に突出するように設けられ内上枠挿入部１８ａと繋がった平板状の延出板部１８ｂと、延出板部１８ｂの下縁から室外側に延出されて新設外上枠１４２が下方からビス止めされるとともに新設外上枠１４２を下から支持する上枠支持部１８ｃとを有している。
【００５１】
ブラケット１８の厚みは、溝形成部１４１ｇにより形成される溝１４１ｆの幅より僅かに薄く、内上枠挿入部１８ａの上下方向の幅は、一対の溝形成部１４１ｇにより形成される溝１４１ｆの底間の距離より僅かに狭く形成されている。このため、ブラケット１８は、新設内上枠１４１に小口側から内上枠挿入部１８ａが一対の溝形成部１４１ｇに挿入されると見込み方向に沿う軸周り及び左右方向に沿う軸周りのいずれにも回転が規制され、室外側からビス止めされてより強固に固定される。また、延出板部１８ｂは上下方向の幅が内上枠挿入部１８ａより上方側に広く形成され、その上部側に新設外上枠１４２が固定される。
【００５２】
本改装用建具１の施工方法は、まず、新設内下枠１３１と新設外下枠１３２とを接合した新設下枠１３と、新設方立１１及び新設縦枠１２と、新設内上枠１４１とを接合した新設枠ユニット１ａを形成する。
【００５３】
次に、図９（ａ）に示すように、新設枠ユニット１ａの新設方立１１、新設縦枠１２、新設内上枠１４１に複数の固定金具９を、各々の長手方向に適宜間隔を隔てて固定する。
【００５４】
次に、図９（ｂ）に示すように、固定金具９が固定された新設枠ユニット１ａを、固定金具９の連結部９ｃを既設縦枠２ａ及び既設上枠２ｃに設けられているシール材の嵌合部２ｄに当接させて位置決めする。このとき、既設縦枠２ａ、既設上枠２ｃ及び既設額縁７と固定金具９との間には、適宜飼い木６を介在させておく。
【００５５】
次に、新設枠ユニット１ａの新設方立１１、新設縦枠１２、新設内上枠１４１に固定された固定金具９を既設障子が取り外された既設縦枠２ａ、既設上枠２ｃ、飼い木６、既設額縁７を介して躯体５に固定し、新設内下枠１３１を既設下枠２ｂに上方から固定し、新設外下枠１３２を下地８に上方から固定することにより、新設枠ユニット１ａを既設枠２に固定する。このとき、新設内下枠１３１上には沓摺１３４を配置し、新設外下枠１３２上にはレール１３３を固定する。新設枠ユニット１ａを既設枠２に固定した後には、既設縦枠２ａおよび既設上枠２ｃの室外側端部と新設方立１１、新設縦枠１２、新設上枠１４および固定金具９との間はシール剤１９によりシールを施しておく。
【００５６】
次に、図９（ｃ）に示すように、方立額縁１５の方立当接部１５ｂを、新設方立１１に設けられた突起１１ｃと段部１１ｄとにより形成された凹部１１ｅに当接し、側方からビスにて固定する。このとき、左延設部１５ｃは、いずれかの線状薄肉部にて切断して予め現場のサイズに合わせておく。また、新設方立１１に取り付けられた方立額縁１５の左延設部１５ｃと外壁３ａとの間はシール剤１９によりシールを施しておく。
【００５７】
次に、新設外上枠１４２を取り付けるためのブラケット１８を新設内上枠１４１に固定する。このときブラケット１８の内上枠挿入部１８ａが新設内上枠１４１において上下に配置された一対の溝形成部１４１ｇ間に挿入された後、内上枠挿入部１８ａが新設内上枠１４１とビスにて接合され、延出板部１８ｂおよび上枠支持部１８ｃが、新設方立１１より左側の外壁３ａの室外側に突出した状態となる。取り付けられたブラケット１８は、方立額縁１５の本体部１５ａより室外側に、本体部１５ａと近接させて設けられる。このため、方立額縁１５は、下端部側が新設外下枠１３２に、また、上端側がブラケット１８によりそれぞれ規制されるので、方立て額縁１５が室外側に倒れることはない。
【００５８】
次に、図９（ｄ）に示すように、新設縦枠１２、新設内上枠１４１およびブラケット１８に新設外上枠１４２を固定する。新設外上枠１４２は、既に取り付けられている新設内上枠１４１の上側の当接片１４１ｄより上方に新設外上枠１４２の垂設部１４２ｅを位置させて新設外上枠１４２を室内側に移動させ、新設外上枠１４２の上延出部１４２ａを新設内上枠１４１の室外側の壁部１４１ｃの上部に、また、新設外上枠１４２の室内側の壁部１４２ｂを新設内上枠１４１の２つの当接片１４１ｄにそれぞれ当接させた後に下方に移動し、新設外上枠１４２の底部１４２ｇを新設内上枠１４１の載置部１４１ｅおよびブラケット１８の上枠支持部１８ｃに載置する。このとき、新設外上枠１４２の垂設片１４２ｅが新設内上枠１４１の上側の当接片１４１ｄと室外側の壁部１４１ｃとの間に挿入される。新設外上枠１４２は、右側の小口を新設縦枠１２の上部に当接させて側方からビス止めされ、上延出部１４２ａが新設内上枠１４１の室外側壁部１４１ｃの上側の部位およびブラケット１８の延出板部１８ｂに室外側からビス止めされる。また、新設外上枠１４２の底部１４２ｇは、新設内上枠１４１の載置部１４１ｅおよびブラケット１８の上枠支持部１８ｃに下方からビス止めされる。
【００５９】
次に、図１０（ａ）に示すように、縦額縁１６を新設縦枠１２に固定する。このとき、新設縦枠１２の右側に建物３の入隅をなし見込み方向に沿う外壁３ａが近接していなければ、縦枠室外カバー部材１６２のビス止め部１６２ａと縦枠側方カバー部材１６１のビス固定部１６１ｅとを重ね合わせると共に、縦枠室外カバー部材１６２の外周被係合部１６２ｄと縦枠側方カバー部材１６１の係合部１６１ｂとを係合させ、重ねられたビス止め部１６２ａとビス固定部１６１ｅとをビスにより接合して縦枠室外カバー部材１６２を縦枠側方カバー部材１６１に取り付けておく。また、新設縦枠１２の右側に建物の入隅をなし見込み方向に沿う外壁３ａが近接している場合には、縦枠室外カバー部材１６２のみを使用する。
【００６０】
縦額縁１６の取り付けは、中央係合片１６１ｆを新設縦枠１２の右側面に設けられた係合部１２ａに係合させるとともに、重ねられたビス止め部１６２ａとビス固定部１６１ｅとを新設縦枠１２の右側面に当接させる。このとき、内周被係合部１６２ｄが新設縦枠１２の内周側に設けられた凹部１２ｂと係合して位置決めされる。位置決めされた縦額縁１６は、新設縦枠１２の内周側から新設縦枠１２を貫通するビスが重ねられたビス止め部１６２ａとビス固定部１６１ｅとに螺合されることにより新設縦枠１２に固定される。このとき、側面カバー部１６１ａは、いずれかの線状薄肉部にて切断して予め現場のサイズに合わせておく。また、新設縦枠１２に取り付けられた縦額縁１６の側面カバー部１６１ａと外壁３ａとの間はシール剤１９によりシールを施しておく。
【００６１】
最後に、図１０（ｂ）、図１０（ｃ）に示すように、上額縁１７を取り付ける。上額縁１７は、端部プレート１７２および上閉塞プレート１７３を予めいずれかの線状薄肉部にて切断して現場のサイズに合わせ、上額縁本体１７１に端部プレート１７２および上閉塞プレート１７３を取り付けておく。
【００６２】
上額縁１７は、まず上方から新設外上枠１４２上に載置した後に、室内側に移動させる。このとき、上額縁１７の上カバー延出片１７１ｏは新設外上枠１４２の外突出片１４２ｉより室外側、また、室内側の脚部１７１ｇは新設外上枠１４２の傾斜延出片１４２ｆより室外側となる位置から室内側に移動される。また、このとき新設縦枠１２に取り付けられた縦額縁１６の上端部が、上額縁１７の右端に設けられた端部プレート１７２の内側に位置するように配置する。
【００６３】
室内側に移動された上額縁１７は、段部１７１ｋが新設内上枠１４１の室外側の壁部１４１ｃの上端に当接される、または、凹部垂設部１７１ｎが新設内上枠１４１の傾斜延出片１４２ｆの先端に当接される位置まで室内側へ移動して停止する。このとき、上額縁１７の上カバー延出片１７１ｏは新設外上枠１４２の外突出片１４２ｉの下に位置し、新設外上枠１４２の傾斜延出片１４２ｆがカバー凹部１７１ｊに挿入されて凹部上面部１７１ｍと脚部１７１ｇの上端部との間に位置して位置決めされる。
【００６４】
位置決めされた上額縁１７は、新設外上枠１４２の下方から上面部１４２ｄを貫通するビス２０が上額縁１７の底面部１７１ｅに設けられたビス螺合部１７１ｐに螺合される。このとき、下方から進入するビス２０により上額縁１７には上方に押し上げる力が作用するが、押し上げられた上額縁１７の上カバー延出片１７１ｏが新設外上枠１４２の外突出片１４２ｉに係合し、上額縁１７の脚部１７ｇが新設外上枠１４２の傾斜延出片１４２ｆに係合して上額縁１７の上昇が規制される。このため上額縁１７は、上方から押さえることなく、ビス２０を下方から螺合することにより新設外上枠１４２に固定される。
【００６５】
また、このとき、上額縁１７に設けられたビス螺合部１７１ｐは、下端部が下方に向かって間隔が広がっているので、ビス２０が螺合されつつビス２０の中心とビス螺合部１７１ｐの見込み方向における中央とが位置合わせされるため、ビス２０を螺合するだけで上額縁１７が新設外上枠１４２に対して適切な位置に取り付けられる。互いに対向する上カバー延出片１７１ｏと外突出片１４２ｉとは、各々先端部に、互いに対向する側に隆起する隆起部１７１ｒ、１４２ｋを備えているので、上額縁１７が室外側に移動したとしても、外れ難い構成となっている。また、脚部１７１ｇの上方に位置する傾斜延出片１４２ｆも下方に隆起する隆起部１４２ｌを有しており、ビス２０が螺合されて脚部１７１ｇ側に近づく際に脚部１７１ｇの上端部側から窪み１７１ｑに向かって低くなる傾斜部に案内されて窪み１７１ｑに至るため、より正確な位置に配置される。
【００６６】
上額縁１７が新設外上枠１４２に取り付けられた後に、端部プレート１７２および上閉塞プレート１７３と外壁３ａとの間はシール剤１９によりシールを施しておく。上額縁１７が取り付けられた状態では上部に上額縁本体１７１と上閉塞プレート１７３との接合部が位置するが、上額縁本体１７１と上閉塞プレート１７３との間から雨水等が進入したとしても、それらの下に設けられている新設内上枠１４１の溝部１４１ｂを経由して新設方立１１および新設縦枠１２を伝って外部に排出されるように構成されている。
【００６７】
本実施形態の改装用建具１によれば、一対の既設縦枠２ａの対向部に設けられた新設方立１１の室外側に設けられる新設内下枠１３１および新設内上枠１４１は、新設下枠１３および新設上枠１４が各々有するレール１３３、１４２ｊに沿う方向において新設方立１１の両側に亘って設けられているので、新設下枠１３および新設上枠１４のレール１３３、１４２ｊに沿って案内される引戸障子４を新設方立１１より新設縦枠１２と反対側まで移動させることが可能である。このとき、図１１に示すように、引戸障子４の一部が外壁３ａと対向する位置まで引き込まれるこのため、互いに対向する既設縦枠２ａ間に障子が設けられている場合、或いは、袖壁部３２を有する片袖タイプの玄関用建具３０において既設扉３１が設けられている場合より開口を大きく開くことが可能であり、車椅子などの通過がスムーズに行われる。
【００６８】
また、新設方立１１より室外側に設けられている新設下枠１３および新設上枠１４が備えるレール１３３、１４２ｊに沿って案内された引戸障子４の戸先部４ａを、新設方立１１より室外側に突出している新設縦枠１２に当接させることが可能である。このため、新設縦枠１２を戸当たりとした片引きタイプの改装用建具１を提供することが可能である。
【００６９】
また、新設内上枠１４１の室外側に設けられる新設外上枠１４２は、新設方立１１より新設縦枠１２と反対側に突出して、所謂片持ちの状態となる。このとき、新設外上枠１４２は新設内上枠１４１に、新設方立１１に対して新設縦枠１２と反対側に突出させて固定されたブラケット１８を介して新設内上枠１４１に接合されているので、新設外上枠１４２を新設方立１２より外側で支持することが可能である。このため、新設外上枠１４２がより強固に、より安定した状態で支持されるので引戸障子４をより滑らかに移動することが可能な改装用建具１を提供することが可能である。
【００７０】
また、新設外上枠１４２は、新設縦枠１２を覆う縦額縁１６の上端部とともに単一の上額縁１７により覆われるので意匠性に優れた改装用建具１を提供することが可能である。
【００７１】
また、このような改装用建具構造によれば、互いに対向する既設縦枠２ａ間に引戸障子４が設けられている場合、或いは、袖付きの既設扉３１が設けられている場合より大きく開き、引戸障子４が滑らかに移動可能で、意匠性に優れた改装用建具構造を実現することが可能である。
【００７２】
上記実施形態においては、一対の既設縦枠２ａの対向部に新設方立１１および新設縦枠１２を備え、新設方立１１より室外側に突出する新設縦枠１２に障子の戸先部が当接する引戸障子を備えた改装用建具１について説明したが、これに限るものではない。例えば、図１２に示すように、互いに対向する一対の既設縦枠２ａの間から室外側に突出させて設けられる一対の新設方立１１と、一対の新設方立１１の室外側に引戸障子４を案内するレール１３３を備えた新設下枠１３および新設上枠（不図示）と、を有し、新設下枠１３および新設上枠は、レール１３３に沿う方向において一対の新設方立１１が互いに対向する方向と反対側に各々突出させて設けられている構成であっても構わない。この場合には、新設下枠および前記新設上枠１４のレール１３３、１４２ｊに沿って案内される引戸障子４を一対の新設方立１１が対向する方向と反対側に各々移動させる所謂引分けタイプの改装用建具３０を提供することが可能である。このため、互いに対向する既設縦枠２ａ間に引戸障子が設けられている場合、或いは、袖付きの既設扉が設けられている場合より開口をより大きく開くことが可能である。
【００７３】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００７４】
１  改装用建具、２ａ  既設縦枠、４  引戸障子、４ａ  戸先部、１１  新設方立、
１２  新設縦枠、１３  新設下枠、１４  新設上枠、１６  縦額縁、１７  上額縁、
１８  ブラケット、１３３  レール、１４１  新設内上枠、１４２  新設外上枠、
１４２ｊ  レール、
【図１】
0006377548.tif 000002
【図２】
0006377548.tif 000003
【図３】
0006377548.tif 000004
【図４】
0006377548.tif 000005
【図５】
0006377548.tif 000006
【図６】
0006377548.tif 000007
【図７】
0006377548.tif 000008
【図８】
0006377548.tif 000009
【図９】
0006377548.tif 000010
【図１０】
0006377548.tif 000011
【図１１】
0006377548.tif 000012
【図１２】
0006377548.tif 000013